(57)【要約】      （修正有）【課題】脳血管を弛緩させて、脳血液循環の増進を誘導する装置および方法を提供する。【解決手段】光源を備え、脳に血液と酸素を供給する頸動脈と脊椎動脈がある部位の頸部の皮膚表面である頸動脈対応部または脊椎動脈対応部に、光線照射制御信号によって光を照射する光線照射機２００と、光照射時間を含む設定データによって光線照射制御信号を生成して光線照射機に伝送する光線照射制御装置５００と、を含むことを特徴とする、脳血液循環の増進を誘導する装置。【選択図】図２
2020103878.tif 000002
【特許請求の範囲】
【請求項１】
光源を備え、脳に血液と酸素を供給する頸動脈と脊椎動脈がある部位の頸部の皮膚表面である、頸動脈対応部または脊椎動脈対応部に、光線照射制御信号によって、光を照射する、光線照射機と；
光照射時間を含む設定データによって、光線照射制御信号を生成して光線照射機に伝送する、光線照射制御装置と；
を含むことを特徴とする、脳血液循環の増進を誘導する装置。
【請求項２】
光線照射機が、頸動脈対応部または脊椎動脈対応部の皮膚表面の下方にある表皮層や真皮層に分布している神経終末（ｎｅｒｖｅ  ｅｎｄｉｎｇｓ）を、既定の光照射時間の間、光を照射することによって刺激して、刺激された神経終末と神経系で連結された窒素活性神経終末（ｎｉｔｒｅｒｇｉｃ  ｎｅｒｖｅ  ｔｅｒｍｉｎａｌｓ）で、一酸化窒素（ｎｉｔｒｉｃ  ｏｘｉｄｅ）を含む物質を分泌するように誘導し、
分泌された前記物質が、窒素活性神経終末と接している脳血管およびリンパ管を弛緩させて、脳血液循環の増進が誘導されるようにすることを特徴とする請求項１に記載の脳血液循環の増進を誘導する装置。
【請求項３】
光線照射機は、
窒素活性神経終末と接している脳血管およびリンパ管が弛緩して、脳血液循環の増進が誘導されることによって、星状膠細胞（ａｓｔｒｏｃｙｔｅ）のような脳のクリアランス（ｃｌｅａｒａｎｃｅ）システムの機能を担当する損傷した細胞に、酸素と栄養供給を増進させて損傷した脳のクリアランスシステムの機能を徐々に回復させてアミロイドベータ斑（ａｍｙｌｏｉｄ  ｂｅｔａ  ｐｌａｑｕｅ）の蓄積を抑制するための、可視光線を出射し、かつ、
当該可視光線を設定された光照射時間の間放出し、設定された光照射時間が終了すると、可視光線の放出を自動終了させるように、光線照射制御装置により制御されることを特徴とする請求項２に記載の脳血液循環の増進を誘導する装置。
【請求項４】
光線照射制御装置が、光線照射機に光線照射制御信号を無線で伝送し、
光線照射機は、バッテリーを内蔵することを特徴とする請求項１に記載の脳血液循環の増進を誘導する装置。
【請求項５】
光線照射制御装置が、光線照射機に光線照射制御信号を有線で伝送し、
光線照射機は、光線照射制御装置から伝送された電源により駆動されることを特徴とする請求項１に記載の脳血液循環の増進を誘導する装置。
【請求項６】
前記頸動脈対応部は、人または動物の頸部で扶突穴の位置であることを特徴とする請求項１に記載の脳血液循環の増進を誘導する装置。
【請求項７】
前記脊椎動脈対応部は、人または動物の頸部で天柱穴または風池穴の位置であることを特徴とする請求項１に記載の脳血液循環の増進を誘導する装置。
【請求項８】
光線照射機は、
頸部の前面で正中部または喉頭隆起（Ａｄａｍ’ｓ  Ａｐｐｌｅ）を基準として左右側で、正中部または喉頭隆起から、耳たぶより下方に垂直な線までの直線距離を、「前面正中部−耳たぶの距離」というとき、
正中部または喉頭隆起から、前面正中部−耳たぶの距離の１／２地点から、前面正中部−耳たぶの距離の２／３地点までの間に装着されることを特徴とする請求項１に記載の脳血液循環の増進を誘導する装置。
【請求項９】
光線照射機は、
頸部の後面で正中部または喉頭隆起（Ａｄａｍ’ｓ  Ａｐｐｌｅ）を基準として左右側で、正中部から、耳たぶより下方に垂直な線までの直線距離を、「後面正中部−耳たぶの距離」というとき、
正中部から、後面正中部−耳たぶの距離の１／２地点から、後面正中部−耳たぶの距離の２／３地点までの間に装着されることを特徴とする請求項１に記載の脳血液循環の増進を誘導する装置。
【請求項１０】
光源は、ＬＥＤまたはＯＬＥＤまたはｍｉｃｒｏ  ＬＥＤのうち一つまたは一つ以上を組み合わせたことを特徴とする請求項１に記載の脳血液循環の増進を誘導する装置。
【請求項１１】
光線照射機は、光線の中心波長（ｐｅａｋ  ｗａｖｅｌｅｎｇｔｈ）が５９０ｎｍ〜６２０ｎｍであり、光線の強さが１ｍＷ／ｃｍ２〜５ｍＷ／ｃｍ２である光線を放出するように構成されることを特徴とする請求項１に記載の脳血液循環の増進を誘導する装置。
【請求項１２】
光線照射機が頸動脈対応部または脊椎動脈対応部に光を照射するように、光線照射機を、動物またはヒトに装着するための取付器具をさらに備えることを特徴とする請求項１に記載の脳血液循環の増進を誘導する装置。
【請求項１３】
取付器具は、両面テープ、吸着ツール、ヘッドギア、ネックレス、ネックバンドのうち一つであることを特徴とする請求項１２に記載の脳血液循環の増進を誘導する装置。
【請求項１４】
頸動脈対応部または脊椎動脈対応部を１回刺激するために、光線照射機は、１０分〜２０分間光線を出射するように構成されることを特徴とする請求項１に記載の脳血液循環の増進を誘導する装置。
【請求項１５】
光線照射制御装置は、スマートフォン、ＰＤＡ、ノートパソコン、アンドロイドフォン、アイフォン、スマートウォッチ、コンピュータのうち一つであることを特徴とする請求項１に記載の脳血液循環の増進を誘導する装置。
【請求項１６】
光線照射機は、光線フィルターをさらに備えることを特徴とする請求項１に記載の脳血液循環の増進を誘導する装置。
【請求項１７】
光線照射制御装置に設けられた周期的治療モードスイッチが選択されると、
光線照射制御装置は、既定の時間間隔ごとに、光線照射機が、既定の光線照射時間の間、光線を出射するように、光線照射制御信号を生成して、光線照射機に伝送することを特徴とする請求項１に記載の脳血液循環の増進を誘導する装置。
【請求項１８】
取付器具が、ヘッドギア、ネックバンド、ネックレスのうち一つである場合、光線照射制御装置または光線照射機が取付器具に内蔵されることを特徴とする請求項１３に記載の脳血液循環の増進を誘導する装置。
【発明の詳細な説明】
【技術分野】
【０００１】
本発明は、脳血液循環の増進を誘導する装置および方法に関し、より詳細には、光線エネルギー、すなわちＰＩＮＳ（Ｐｈｏｔｏ−ｉｎｎｅｒｖａｔｅｄ  Ｎｅｕｒｏ−ｓｔｉｍｕｌａｔｉｏｎ、光伝達神経刺激）を利用して首と首の後ろ部位の特定の領域の皮膚表面の下方にある表皮（ｅｐｉｄｅｒｍｉｓ）層や真皮（ｄｅｒｍｉｓ）層に分布している神経終末（ｎｅｒｖｅ  ｅｎｄｉｎｇｓ）を刺激して、脳にある血管（血管筋肉）を弛緩させて脳血液循環の増進を誘導する装置および方法に関する。
【背景技術】
【０００２】
血液は、全身の新陳代謝を担うと言え、ヒトのからだの隅々を辿りながら生命を維持するのに必要な諸般の仕事を担当する。血液は、酸素を肺から各組織や細胞に運び、胃や腸など消化管から栄養分を取り入れて適材適所に配置させる役割をし、また、組織と細胞で使用済みの酸素と栄養分の残滓を排泄器官に送る役割もする。したがって、健康な血が良く流れる場合、このようなすべての機能が円滑に行われる。血管は、血管筋肉細胞からなる。
【０００３】
脳は、図１のように、頸動脈（ｃａｒｏｔｉｄ  ａｒｔｅｒｙ）７１と脊椎動脈（ｖｅｒｔｅｂｒａｌ  ａｒｔｅｒｙ、椎骨動脈）７２を介して血液と酸素を供給される。
【０００４】
頸動脈は、大動脈の分脈であって、大動脈弓より左右頸動脈が起始して後頭の外側に沿って上がって顔と頭の骨内に入る。頸動脈は、甲状腺の近くで内外頸動脈に分かれ、外頸動脈は、頭部顔面に、内頸動脈は、脳髄の各部に動脈血を送る。
【０００５】
脊椎動脈（椎骨動脈）は、脳に分布する動脈の一つであって、両側の鎖骨下動脈の基部で分かれ、上行して、第６頸椎の横突孔に入って、順次に上位の横突孔を通過して上方に進んで環椎（第１頸椎）の上面で後内方に曲がって後頭骨との間で硬膜と蜘蛛膜を突き抜けて蜘蛛膜下腔に入って大（後頭）孔から頭蓋腔に入る。
【０００６】
特に、脳は、心臓から出る血液の２０％程度の血液が供給される場合、円滑に活動することができるが、もし、血液中の酸素が不足すると、脳自らが脳にさらに多くの血液を供給することによって、不足した酸素を補充しようとすることになり、このような活動の結果として、脳圧を上昇させることになる。突然脳圧が上昇すると、血液循環が円滑に行われず、酸素供給もうまくいかなくて、頭痛や目まいが発生すると報告されている。
【０００７】
脳に必要なエネルギーと酸素を供給する頸動脈や脊椎動脈が狭くなることによって、血液循環が円滑に行われず、脳の血液循環が低下する場合が多い。脳の血液循環の低下によって記憶力が低下し、頭痛が発生すると、業務能率や学習能力が低下することになり、これによって、さらにストレスを受けることになって、結局、悪循環が繰り返す。このように、脳の血液循環の問題は、単純に頭痛や目まいの誘発以外にも、認知機能障害、血管性痴呆、アルツハイマー痴呆およびパーキンソン疾患のような疾患を誘発する原因となり得るので、非常に重要である。
【０００８】
認知機能障害、血管性痴呆、アルツハイマー痴呆およびパーキンソン疾患のような症状は、脳にある血管の平滑筋肉の収縮と弛緩機能に問題が発生することによって、長期間にわたって脳で血液循環が円滑に行われず、脳の神経細胞に酸素と栄養供給の不足によって発生する症状であると知られている。また、血液循環が円滑でなくて、脳でクリアランスシステムを担当する神経膠細胞（ｎｅｕｒｏｇｌｉａｌ  ｃｅｌｌｓ）が損傷したり機能が弱くなって、毎日発生する各種細胞の代謝物質のようなゴミが毎日十分に排出されないので、アミロイドベータ（Ａベータ）斑の蓄積を誘発して、アルツハイマー痴呆のような疾患などが発生すると知られている。
【０００９】
認知機能障害と痴呆のような症状を治療したり緩和するために、数多くの新薬開発の研究が進行されているが、薬物により治療や症状の改善がうまく進められていない。また、針、灸、温熱治療のような代替療法を使用したり、電気や磁場および遠赤外線を利用して脳細胞を刺激して症状を緩和する試みがあるが、効果は非常に弱いと知られている。そして、薬物による治療は、薬物の副作用が大きな問題として提起されており、代替療法である針や灸は、人体に傷つけたり火傷を誘発することができ、消毒を怠れば、非衛生的な問題が発生し得る。また、電気や磁場の治療機器は、規模が大きいか、または刺激位置を正確に判断しにくいため、使用が不便であり、症状の改善効能に劣り、人体の一部に挿入して使用する神経刺激器の場合は、効能が比較的優れているが、人体に挿入する手術費用と機器の価格が高価であることが問題として指摘されている。
【００１０】
一方、ＬＬＬＴ（ｌｏｗ  ｌｅｖｅｌ  ｌｉｇｈｔ  ｔｅｒａｐｙ）技術を利用して脳を刺激する光線照射機もあるが、光線が脳の頭蓋骨（ｓｋｕｌｌ）を突き抜けて入らなければならない問題があるため、波長が長い遠赤外線波長領域の光線として、光強度（光線の強さ）を非常に大きくした光線を利用するので、光線による脳の温度上昇を誘発することになって、温度上昇を防止するための冷却装置が必要になったり、光線照射機の光線出力が大きくなることになって、自然的に電力消費が増加し、装備の重さや大きさが増加して使用が不便である。
【００１１】
最近には、学習増進、記憶力や集中力の向上、認知機能障害、アルツハイマー痴呆およびパーキンソン症状の治療や予防において、脳の血液循環が密接に関連があると報告されることによって、より簡単にかつ便利に脳血液循環の増進を誘導する新しい装置や方法に関する技術開発が切実に要望される。
【００１２】
本発明者らは、光線治療機に関連した特許として、韓国特許公開第１０−２０１２−０１３１３１６号、韓国特許登録第１０−１２２５１３５号、韓国特許公開第１０−２０１６−００４９０９７号、韓国特許公開第１０−２０１６−００５４４２３号などを保有している。
【００１３】
先行技術として、韓国特許登録第１０−１００９４６２号は、痴呆の治療などのために頭蓋骨の内部と頭蓋基底領域に近赤外線を照射する近赤外線光線療法装置に関するものであって、ヘルメット形態からなり、ユーザごとにヘッドのサイズが異なるので、オーダーメード型で製作されなければならないし、携帯が不便である。
【先行技術文献】
【特許文献】
【００１４】
【特許文献１】韓国特許登録第１０−１００９４６２号公報
【発明の概要】
【発明が解決しようとする課題】
【００１５】
本発明が達成しようとする技術的課題は、ＰＩＮＳ（光伝達神経刺激）を利用して首と首の後ろ部位の特定の領域の皮膚表面の下方にある表皮（ｅｐｉｄｅｒｍｉｓ）層や真皮（ｄｅｒｍｉｓ）層に分布している神経終末（ｎｅｒｖｅ  ｅｎｄｉｎｇｓ）を一定の時間の間刺激し、その刺激された神経終末と末梢神経系で連結された窒素活性神経終末（ｎｉｔｒｅｒｇｉｃ  ｎｅｒｖｅ  ｔｅｒｍｉｎａｌｓ）で一酸化窒素（ｎｉｔｒｉｃ  ｏｘｉｄｅ）のような物質を分泌するように誘導し、その分泌された物質で窒素活性神経終末と接している脳血管を弛緩させて、脳血液循環の増進を誘導する装置（脳血液循環の増進誘導装置）および方法を提供することにある。
【課題を解決するための手段】
【００１６】
前記課題を解決するために、本発明による脳血液循環の増進を誘導する装置は、光源を備え、脳に血液と酸素を供給する頸動脈と脊椎動脈がある部位の頸部の皮膚表面である、頸動脈対応部または脊椎動脈対応部に、光線照射制御信号によって、光を照射する、光線照射機と；光照射時間を含む設定データによって、光線照射制御信号を生成して光線照射機に伝送する、光線照射制御装置と；を含むことを特徴とする。
【００１７】
光線照射機が、頸動脈対応部または脊椎動脈対応部の皮膚表面の下方にある表皮層や真皮層に分布している神経終末（ｎｅｒｖｅ  ｅｎｄｉｎｇｓ）を、既定の光照射時間の間、光を照射することによって刺激して、刺激された神経終末と神経系で連結された窒素活性神経終末（ｎｉｔｒｅｒｇｉｃ  ｎｅｒｖｅ  ｔｅｒｍｉｎａｌｓ）で、一酸化窒素（ｎｉｔｒｉｃ  ｏｘｉｄｅ）を含む物質を分泌するように誘導し、分泌された前記物質が、窒素活性神経終末と接している脳血管およびリンパ管を弛緩させて、脳血液循環の増進が誘導されるようにする。
【００１８】
光線照射機は、窒素活性神経終末と接している脳血管およびリンパ管が弛緩して、脳血液循環の増進が誘導されることによって、星状膠細胞（ａｓｔｒｏｃｙｔｅ）などのような脳のクリアランス（ｃｌｅａｒａｎｃｅ）システムの機能を担当する損傷した細胞に、酸素と栄養供給を増進させて、損傷した脳のクリアランスシステムの機能を徐々に回復させてアミロイドベータ斑（ａｍｙｌｏｉｄ  ｂｅｔａ  ｐｌａｑｕｅ）の蓄積を抑制するための、可視光線を出射し、かつ、当該可視光線を設定された光照射時間の間放出し、設定された光照射時間が終了すると、可視光線の放出を自動終了させるように、光線照射制御装置により制御される。
【００１９】
光線照射制御装置が、光線照射機に光線照射制御信号を無線で伝送することができ、この際、光線照射機は、バッテリーを内蔵する。または、光線照射制御装置が、光線照射機に光線照射制御信号を有線で伝送することができ、この際、光線照射機は、光線照射制御装置から伝送された電源により駆動される。
【００２０】
前記頸動脈対応部は、ヒトまたは動物の頸部で扶突穴の位置であり得、前記脊椎動脈対応部は、ヒトまたは動物の頸部で天柱穴または風池穴の位置であり得る。
【００２１】
光線照射機は、頸部の前面で正中部または喉頭隆起（Ａｄａｍ’ｓ  Ａｐｐｌｅ）を基準として左右側で、正中部または喉頭隆起から、耳たぶより下方に垂直した線までの直線距離を、「前面正中部−耳たぶの距離」というとき、正中部または喉頭隆起から、前面正中部−耳たぶの距離の１／２地点から、前面正中部−耳たぶの距離の２／３地点までの間に装着され得る。
【００２２】
光線照射機は、頸部の後面で正中部または喉頭隆起（Ａｄａｍ’ｓ  Ａｐｐｌｅ）を基準として左右側で、正中部から、耳たぶより下方に垂直した線までの直線距離を、「後面正中部−耳たぶの距離」というとき、正中部から、後面正中部−耳たぶの距離の１／２地点から、後面正中部−耳たぶの距離の２／３地点までの間に装着され得る。
【００２３】
光源は、ＬＥＤまたはＯＬＥＤまたはｍｉｃｒｏ  ＬＥＤのうち一つまたは一つ以上を組み合わせたものであり、光線照射機は、光線の中心波長（ｐｅａｋ  ｗａｖｅｌｅｎｇｔｈ）が５９０ｎｍ〜６２０ｎｍであり、光線の強さは、１  ｍＷ／ｃｍ２〜５ｍＷ／ｃｍ２である光線が放出されるように構成される。
【００２４】
光線照射機が頸動脈対応部または脊椎動脈対応部に光を照射するように、光線照射機を、動物またはヒトに装着するための取付器具をさらに備え、かつ、取付器具は、両面テープ、吸着ツール、ヘッドギア、ネックレス、ネックバンドのうち一つであり得る。
【００２５】
頸動脈対応部または脊椎動脈対応部を１回刺激するために、光線照射機は、１０分〜２０分間光線を出射するように構成され、光線照射制御装置は、スマートフォン、ＰＤＡ、ノートパソコン、アンドロイドフォン、アイフォン、スマートウォッチ、コンピュータのうち一つであり、光線照射機は、光線フィルターをさらに備える。
【００２６】
光線照射制御装置に設けられた周期的治療モードスイッチが選択されると、光線照射制御装置は、既定の時間間隔ごとに、光線照射機が、既定の光線照射時間の間、光線を出射するように、光線照射制御信号を生成して、光線照射機に伝送する。
【００２７】
取付器具が、ヘッドギア、ネックバンド、ネックレスのうち一つである場合、光線照射制御装置または光線照射機が取付器具に内蔵され得る。
【発明の効果】
【００２８】
本発明による脳血液循環の増進を誘導する装置および方法は、ＰＩＮＳ（光伝達神経刺激）を利用して首と首の後ろ部位の特定の領域の皮膚表面の下方にある表皮（ｅｐｉｄｅｒｍｉｓ）層や真皮（ｄｅｒｍｉｓ）層に分布している神経終末（ｎｅｒｖｅ  ｅｎｄｉｎｇｓ）を一定の時間刺激し、その刺激された神経終末と末梢神経系で連結された窒素活性神経終末（ｎｉｔｒｅｒｇｉｃ  ｎｅｒｖｅ  ｔｅｒｍｉｎａｌｓ）で一酸化窒素（ｎｉｔｒｉｃ  ｏｘｉｄｅ）のような物質を分泌するように誘導して、その分泌された物質で窒素活性神経終末と接している脳血管を弛緩させて脳血液循環を増進するように誘導して、脳血液循環の不足によって生じる疾患を治療したり予防することができる。特に、本発明は、冷却装置が不要であり、その大きさおよび重さも小さく、電力消費が少なく、低価であり、携帯が容易である。
【００２９】
また、本発明による脳血液循環の増進を誘発する装置と方法は、脳血液循環の不足によって生じる血管性痴呆およびアルツハイマー痴呆、脳卒中、偏頭痛、うつ病、パーキンソン疾患のような各種脳関連疾患を治療したり予防し、学習増進および記憶力と集中力を向上させるのに活用されることによって、人類の人生の質の向上に画期的に寄与することができる。また、上記した各種疾患を治療したり予防するのに使用される医療機器の産業発展にも大きく寄与することができる。
【図面の簡単な説明】
【００３０】
【図１】図１は、頸動脈と脊椎動脈を説明するための模式図である。
【図２】図２は、本発明の一実施例による脳血液循環の増進を誘導する装置の使用状態図を示す図である。
【図３】図３は、本発明の他の一実施例による脳血液循環の増進を誘導する装置の使用状態図を示す図である。
【図４】図４は、本発明の光線照射機がヒトの頸部に接着されたり近接して可視光線が照射される位置を説明するための図である。
【図５】図５は、本発明の光線照射機が動物の頸部（首）に接着されたり近接して可視光線が照射される位置を説明するための図である。
【図６】図６は、本発明の光線照射機２００の一例である。
【図７】図７は、本発明による脳血液循環の増進を誘導する装置の構成を示すブロック図である。
【図８】図８は、本発明による脳血液循環の増進を誘導する装置および方法を利用して動物に適用した光線刺激前後の脳血管映像撮影の結果グラフの例である。
【図９】図９は、本発明による脳血液循環の増進を誘導する装置および方法を利用して動物に実験した光線刺激前後の血管直径サイズ別の血管弛緩程度を示すグラフである。
【図１０】図１０は、本発明による脳血液循環の増進を誘導する装置および方法を利用して正常ヒトで脳血管が弛緩して脳血液循環の増進が誘導される実験プロトコルと、前記実験プロトコルにより実験を行った場合の結果を示す。
【発明を実施するための形態】
【００３１】
以下、本発明による脳血液循環の増進を誘導する装置および方法を添付の図面を参照してより詳細に説明する。
【００３２】
図２は、本発明の一実施例による脳血液循環の増進を誘導する装置の使用状態図を示す図であり、図３は、本発明の他の一実施例による脳血液循環の増進を誘導する装置の使用状態図を示す図である。
【００３３】
脳血液循環の増進を誘導する装置１００は、脳に血液と酸素を供給する血管（頸動脈または脊椎動脈）が位置する首の特定部位に光を照射して、前記血管、すなわち血管筋肉を弛緩させて、脳に血液と酸素を供給を増進（促進、活性化）する装置であって、光線照射機２００、取付器具３００、光線照射制御装置５００を含む。
【００３４】
図2に示された脳血液循環の増進を誘導する装置１００は、光線照射機２００と制御装置５００が有線で連結された例を示し、光線照射機２００と光線照射制御装置５００を連結するケーブル４００をさらに備える。すなわち図１の脳血液循環の増進を誘導する装置１００は、取付器具３００として両面テープを使用する場合であって、光線照射機２００は、光線照射制御装置５００とケーブル４００で連結されて、光線照射制御装置５００から電源を供給され、光線照射制御装置５００から光線照射制御信号を受信する。例えば、光線照射機２００を動物や人体の特定領域の皮膚表面に両面テープを利用して接着させ、ケーブル４００に連結された光線照射制御装置５００をユーザが携帯しつつ、ユーザ自ら光線照射を行うことができる。
【００３５】
図3に示された脳血液循環の増進を誘導する装置は、光線照射機２００と光線照射制御装置５００が無線で連結された例を示し、光線照射機２００と光線照射制御装置５００は、無線送受信部をさらに備える。
【００３６】
図3の脳血液循環の増進を誘導する装置は、光線照射機２００にバッテリーと無線送受信装置をさらに内蔵すると、光線照射機２００は、光線照射制御装置５００と分離して動作し、したがって、無線で光線照射を制御することができる。
【００３７】
光線照射機２００は、光線照射制御装置５００から受信された光線制御信号によって光を放出する手段であって、取付器具３００によりヒトまたは動物の身体に装着される。光線照射機２００から出射される光線は、光線の中心波長（ｐｅａｋ  ｗａｖｅｌｅｎｇｔｈ）が５９０ｎｍ〜６２０ｎｍであり、光線の強さは、１ｍＷ／ｃｍ２〜５ｍＷ／ｃｍ２である光線を放出するように構成される。光線照射機２００に内蔵されている光源２７０は、ＬＥＤ（発光ダイオード）またはＯＬＥＤまたはｍｉｃｒｏ  ＬＥＤのうち一つまたは一つ以上を組み合わせた形態であり得る。
【００３８】
取付器具３００は、光線照射機２００を頸部（首）に付着したり近接させるための手段であって、両面テープや吸着ツールあるいは耳やヘッドに保持するヘッドギア形態またはネックレス（首に保持するネックバンド）形態などからなる。
【００３９】
光線照射制御装置５００は、光線照射機２００の光線照射を制御する手段であって、ディスプレイ部５３０、演算処理部５５０（マイクロプロセッサーあるいは光線照射制御回路）、無線送受信部５１０、電源供給装置５９０、キー入力部（オン／オフスイッチ（開始ボタンと終了ボタン）など）、光線照射動作表示ランプ（例えば、ＬＥＤ）（不図示）、アラーム装置（不図示）などを含むとができ、光線照射制御装置５００は、マイクロプロセッサー、マイクロコントローラー、コンピュータまたは携帯用個人端末（スマート通信機器）であり得る。場合にしたがって、光線照射制御装置５００は、マイクロプロセッサーまたはマイクロコントローラーと、スマート通信機器からなる。前記携帯用個人端末（スマート通信機器）は、スマートフォン、ＰＤＡ、ノートパソコン、アンドロイドフォン、アイフォン、またはスマートウォッチのようなスマート通信機器であって、所定のアプリケーションが設置されており、ユーザが携帯しつつ、いつどこででもユーザ自ら光線照射機２００を制御して光線治療を受けることができる。
【００４０】
光線照射制御装置５００は、病院に設置され得るように、大きくかつ堅固に製作されて、動物や患者が来院して光線照射機２００を活用して光線照射を受けることができる病院用に製作され得る。
【００４１】
光線照射制御装置５００は、取付器具３００が耳やヘッド保持するヘッドギア形態またはヘアバンド形態である場合、マイクロプロセッサーまたはマイクロコントローラーからなり、ヘッドギアまたはヘアバンドの胴体の一部に内蔵および設置され得る。この場合、前記スマート通信機器と有線あるいは無線で連結して、スマート通信機器にて前記光線照射制御装置５００を制御して光線照射機２００の光線照射を制御することもできる。
【００４２】
光線照射制御装置５００は、前記取付器具３００がネックレス（ネックバンド）形態である場合、ネックレス（ネックバンド）の胴体の一部に内蔵および設置されており、この場合、無線通信方式でスマート通信機器と有線あるいは無線で連結してスマート通信機器にて光線照射制御装置５００を制御して光線照射機２００の光線照射を制御することもできる。
【００４３】
可視光線波長帯域の可視光線の光線を放出する光源と光線フィルターが内蔵され、一面に前記光源から放出される可視光線を放出する光線照射機２００が取付器具３００により動物や人体の首の特定の領域の皮膚部位に直接接着されたり近接した状態で、当該領域の皮膚表面の下方にある表皮（ｅｐｉｄｅｒｍｉｓ）層や真皮（ｄｅｒｍｉｓ）層に分布している神経終末（ｎｅｒｖｅ  ｅｎｄｉｎｇｓ）を一定の時間刺激し、その刺激された神経終末と神経系で連結された窒素活性神経終末（ｎｉｔｒｅｒｇｉｃ  ｎｅｒｖｅ  ｔｅｒｍｉｎａｌｓ）で一酸化窒素（ｎｉｔｒｉｃ  ｏｘｉｄｅ）のような物質を分泌するように誘導して、その分泌された物質で窒素活性神経終末と接している脳血管とリンパ管を弛緩させて脳血液循環およびリンパ循環増進を誘導して星状膠細胞（ａｓｔｒｏｃｙｔｅ）などのような脳のクリアランス（ｃｌｅａｒａｎｃｅ）システムの機能を担当する損傷した細胞（すなわち脳のクリアランスシステムの機能を担当する損傷した星状膠細胞）に酸素と栄養供給を増進させて、損傷した脳のクリアランスシステムの機能を徐々に回復させてアミロイドベータ斑（ａｍｙｌｏｉｄ  ｂｅｔａ  ｐｌａｑｕｅ）の蓄積を抑制するための可視光線を放出するようにし、当該可視光線が定められた光線照射時間の間放出され、定められた時間が終了すると、可視光線の放出が終了するように制御する。
【００４４】
一般的に、星状膠細胞（ａｓｔｒｏｃｙｔｅ）は、「アストログリア」とも言い、または「クリアランス細胞」とも言う。
【００４５】
光線照射制御装置５００は、光線照射機２００が取付器具３００により動物や人体の首の後ろ部位の左右側の脊椎動脈（ｖｅｒｔｅｂｒａｌ  ａｒｔｅｒｙ）それぞれ１個の部位または首にある左右側の頸動脈（ｃａｒｏｔｉｄ  ａｒｔｅｒｙ）それぞれ１個の部位に位置する皮膚表面に直接接着されたり近接した状態で、脊椎動脈や頸動脈の位置にある皮膚表面の下方の真皮や表皮に分布している神経終末（ｎｅｒｖｅ  ｅｎｄｉｎｇｓ）を光線照射機２００から放出する可視光線で定められた時間の間刺激して、前記神経終末と末梢神経で連結された脳血管周辺の窒素活性神経終末（ｎｉｔｒｅｒｇｉｃ  ｎｅｒｖｅ  ｔｅｒｍｉｎａｌｓ）でｎＮＯＳによる一酸化窒素（ｎｉｔｒｉｃ  ｏｘｉｄｅ）のような物質を分泌するように誘導して、その分泌された物質で前記窒素活性神経終末と接している脳血管およびリンパ管を弛緩させて、脳血液循環およびリンパ循環増進を繰り返し誘導して星状膠細胞（ａｓｔｒｏｃｙｔｅ）などのような脳のクリアランス（ｃｌｅａｒａｎｃｅ）システムの機能を担当する損傷した細胞に酸素と栄養供給を増進させて、損傷した脳のクリアランスシステムの機能を徐々に回復させて、アミロイドベータ斑の蓄積を抑制する。
【００４６】
図４は、本発明の光線照射機がヒトの頸部（首）に接着されたり近接して可視光線が照射される位置を説明するための図である。
【００４７】
図４の（ａ）は、被検者の正面を示すものであって、被検者の頸部（首）の頸動脈対応部位に光線照射機２００を装着する様子を示す。例えば、正中部７０または喉頭隆起（のどぼとけ、Ａｄａｍ’ｓ  Ａｐｐｌｅ）６０を基準として左右側で、正中部７０または喉頭隆起６０から、耳たぶより下方に垂直した線までの直線距離を、本発明において説明の便宜上、「前面正中部−耳たぶの距離」と命名する。前面正中部−耳たぶの距離は、略首まわりの１／４の長さであり得る。すると、光線照射機２００を頸動脈対応部位に装着するために、光線照射機２００を、正中部７０または喉頭隆起６０から、前面正中部−耳たぶの距離の１／２地点から、前面正中部−耳たぶの距離の２／３地点までの間に装着することができる。
【００４８】
または、図４の（ａ）のような、被検者の頸部（首）の頸動脈対応部位に光線照射機２００を装着する場合、被検者の首の前部（頸部正面）の扶突穴に光線照射機２００を装着することができる。扶突穴は、喉頭隆起６０から６ｃｍ程度側方に行った地点であって、より詳細には、喉頭隆起６０から首まわりに沿って水平線をひいたとき、前記水平線と、胸鎖乳突筋（Ｓｔｅｒｎｏｃｌｅｉｄｏｍａｓｔｏｉｄ）とが会う位置である。ここで、胸鎖乳突筋は、胸骨と鎖骨の内側から起始して、乳樣突起で停止する筋肉である。
【００４９】
図４の（ｂ）は、被検者の背面（後面）を示すものであって、被検者の頸部（首）の脊椎動脈対応部位に光線照射機２００を装着した様子を示す。例えば、正中部７０を基準として左右側で、正中部７０から、耳たぶより下方に垂直な線までの直線距離を、本発明において説明の便宜上、「後面正中部−耳たぶの距離」と命名する。後面正中部−耳たぶの距離は、略首まわりの１／４の長さであり得る。すると、光線照射機２００を脊椎動脈対応部位に装着するために、光線照射機２００を、正中部７０から、後面正中部−耳たぶの距離の１／２地点から、後面正中部−耳たぶの距離の２／３地点までの間に装着することができる。
【００５０】
または、図４の（ｂ）のような、被検者の頸部（首）の脊椎動脈対応部位に光線照射機２００を装着する場合、被検者の首の後ろ（頸部後面）の天柱穴に光線照射機２００を装着することができる。ここで、天柱穴は、首の襟首に位置する穴の位置であって、後ろ側の髪の境界線における中央点（唖門穴、より詳細には、首の後ろの中央部の頭骨と首とが会う所より下方に約１ｃｍ地点）の両側１〜３ｃｍ程度に位置する僧帽筋の外側境界線に位置する。
【００５１】
または、図４の（ｂ）のような、被検者の頸部（首）の脊椎動脈対応部位に光線照射機２００を装着する場合、被検者の首の後ろ（頸部後面）の風池穴に光線照射機２００を装着することができる。ここで、風池穴は、首の後ろの中央から両側に１．５ｃｍ程度離れている凹状の二つの地点を言い、天柱穴よりさらに外側に位置する。
【００５２】
言い換えれば、被検者の頸部の左右の頸動脈対応部位に光線照射機２００をそれぞれ付着し、かつ、光線照射機２００を、正中部７０または喉頭隆起６０から、前面正中部−耳たぶの距離の１／２地点から、前面正中部−耳たぶの距離の２／３地点までの間に装着することができる。また、被検者の頸部の左右の脊椎動脈対応部位に光線照射機２００をそれぞれ付着し、かつ、光線照射機２００を、正中部７０から、後面正中部−耳たぶの距離の１／２地点から、後面正中部−耳たぶの距離の２／３地点までの間に装着することができる。
【００５３】
すなわち、被検者の頸部の頸動脈対応部に２個の光線照射機２００を装着したり、または被検者の頸部の脊椎動脈対応部に２個の光線照射機２００を装着することができる。場合によっては、頸部の頸動脈対応部に２個の光線照射機２００と、頸部の脊椎動脈対応部に２個の光線照射機２００を同時に装着することができる。
【００５４】
図５は、本発明の光線照射機が動物の頸部（首）に接着されたり近接して可視光線が照射される位置を説明するための図である。
【００５５】
動物（例えば、犬、猫など）の場合に、脊椎動脈の部位に光線照射機２００を装着するために、動物の天柱穴に光線照射機２００を接着（装着）したり近接する。
【００５６】
動物（例えば、犬、猫など）の天柱穴は、動物の頭上部の耳開始点５と動物の正中部との間の約１／２地点とすることができる。
【００５７】
また、図示してはいないが、動物（例えば、犬、猫など）の場合に、頸動脈の部位に光線照射機２００を装着するために、動物の扶突穴に光線照射機２００を接着（装着）したり近接する。
【００５８】
動物（例えば、犬、猫など）の扶突穴は、動物の耳の終点から動物の正中部との間の約１／２地点とすることができる。
【００５９】
本発明による脳血液循環の増進を誘導する装置１００を利用して脳にある血管を弛緩させる方法は、人体の後頭部の左右側の脊椎動脈（ｖｅｒｔｅｂｒａｌ  ａｒｔｅｒｙ）それぞれ１個の部位または首にある左右側の頸動脈（ｃａｒｏｔｉｄ  ａｒｔｅｒｙ）それぞれ１個の部位に位置する皮膚表面に２個の光線照射機２００を前記取付器具３００を利用して皮膚表面に直接接着したり近接させて脊椎動脈や頸動脈の位置にある皮膚表面の下方の真皮や表皮に分布している神経終末（ｎｅｒｖｅ  ｅｎｄｉｎｇｓ）を光線照射機２００から放出する可視光線で１回１０分〜２０分間刺激して、前記神経終末と抹消神経で連結された窒素活性神経終末（ｎｉｔｒｅｒｇｉｃ  ｎｅｒｖｅ  ｔｅｒｍｉｎａｌｓ）で一酸化窒素（ｎｉｔｒｉｃ  ｏｘｉｄｅ）のような物質を分泌するように誘導して、前記窒素活性神経終末と接している脳血管を弛緩させる方法で脳血流増進を誘導する。
【００６０】
図６は、本発明の光線照射機２００の一例であって、１個の光源１１を使用する円筒形の光線照射機の一例である。
【００６１】
光源１１が設置されたＰＣＢ１０と、ＰＣＢ１０が収容される胴体２０および電線３０を通じて胴体２０と連結される電源ジャック４０から構成される。
【００６２】
ＰＣＢ１０は、ＬＥＤ（発光ダイオード）またはＯＬＥＤまたはｍｉｃｒｏ  ＬＥＤのうち一つまたは一つ以上を組み合わせた形態の光源１１を内蔵し、光源１１に駆動電源を供給する。前記駆動電源は、光線照射機２００内に内蔵されたバッテリーから受信されたものであり得、場合によっては、光線照射制御装置５００から受信されたものであり得る。
【００６３】
ＰＣＢ１０には、図6の拡大図（ａ）と（ｂ）に示されたように、プラスチック、ガラス、石英（Ｑｕａｒｔｚ）、水晶（ｃｙｓｔａｌ）、クリスタルガラス（ｃｒｙｓｔａｌ  ｇｌａｓｓ）などからなり、光源１１から放出された光をフィルタリングし集束して、光放出口２１を介して放出する光フィルター１２がさらに設置される。
【００６４】
ＰＣＢ１０に設置される光源１１の周辺には、図１の拡大図（ａ）と（ｂ）に示されたように、反射板または反射フィルムなどからなり、光源１１から放出された色光を光放出口２１側に反射させる反射体１３がさらに設置される。
【００６５】
胴体２０は、内部にＰＣＢ１０が収容され、前面部に身体の治療部位に治療用光を集中的に照射するための光放出口２１が形成されている。胴体２０は、図6に示されたような円筒形であるが、これに本発明を限定するためのものではなく、パッチ型、半球型、ポット型、楕円形、ハート型などのように多様な形状に変形可能である。胴体２０は、両面接着式テープ２０ａやハイドロゲルパッド２０ｂあるいは空気吸着板２０ｃなどにより身体の色光治療部位に付着した状態で使用され得る。
【００６６】
図６では、有線であり、円筒形の光線照射機を示しているが、これに本発明を限定するためのものではないことを明らかにする。したがって、無線型の光線照射機など多様な光線照射機を採用することができることはもちろんである。また、本発明者らが既に発明した韓国特許公開第１０−２０１２−０１３１３１６号、韓国特許登録第１０−１２２５１３５号、韓国特許公開第０−２０１６−００４９０９７号、韓国特許公開第１０−２０１６−００５４４２３号などに記載された光線治療機も適用することができることはもちろんである。
【００６７】
図７は、本発明による脳血液循環の増進を誘導する装置の構成を示すブロック図である。
【００６８】
光線照射制御装置５００は、ディスプレイ部５３０、演算処理部５５０、無線送受信部５１０、キー入力部５２０、メモリ部５６０、電源供給装置５９０を含む。
【００６９】
キー入力部５２０に光線照射機２００の駆動を開始／停止したり、設定データ治療時間、治療強度、治療モード（１回治療であるか、周期的治療であるかなどを設定）などの設定を行うことができる。
【００７０】
例えば、キー入力部５２０の光線照射スイッチがオン（ｏｎ）とされると、演算処理部５５０は、光線照射制御信号を出力して、光線照射機２００で定められた光線照射時間の間光線が放出されるようにし、定められた光線照射時間が経過すると、演算処理部５５０は、自動的に光線照射終了信号を出力して、光線照射機２００で光線の放出を停止させるようにする。
【００７１】
例えば、キー入力部５２０の光線照射スイッチを３秒以上長く押してオン（ｏｎ）させると、または周期的治療モードスイッチを選択すると（オンさせると）、あらかじめ定められたプログラムにより一定の時間間隔（例えば、毎８時間または毎６時間）ごとに定められた光線照射時間の間前記光線照射機から光線が放出されるようにし、定められた光線照射時間が経過すると、自動に光線照射終了信号を出力して前記光線照射機から光線の放出が停止するようにすることができる。かくして、ペットまたは身体を動くことができない患者に、自動的に、周期的に光線治療を行うことができるようにする。
【００７２】
演算処理部５５０は、キー入力部５２０から受信された設定データ（治療時間、治療強度など）によって光線照射制御信号を生成して、光線照射制御装置５００の送受信部５１０を介して、光線照射機２００に伝送する。ここで、光線照射制御装置５００の送受信部５１０および光線照射機２００の送受信部２１０は、有線送受信ポートからなる有線送受信部であってもよく、または無線送受信部であってもよい。
【００７３】
また、演算処理部５５０は、設定データ（治療時間、治療強度など）をメモリ部５６０に保存させる。
【００７４】
電源供給装置５９０は、光線照射制御装置５００の駆動時に使用される電力のための電源装置である。場合によって、光線照射制御装置５００と光線照射機２００が有線からなる場合、光線照射機２００は、光線照射制御装置５００の電源供給装置５９０から電源を受信して、光線照射機２００を駆動させることができ、この場合、バッテリー２９０は、省略され得る。
【００７５】
光線照射機２００は、送受信部２１０、制御部２５０、光源駆動部２６０、光源２７０、バッテリー２９０を含むことができる。
【００７６】
光線照射機２００の制御部２５０は、光線照射制御装置５００から光線照射機２００の送受信部２１０を介して受信された光線照射制御信号によって光源駆動部２６０を駆動させて、光源２７０を点灯または消灯する。
【００７７】
場合によって、光線照射機２００の送受信部２１０が取付器具３００に装着されたり、または光線照射機２００の送受信部２１０および制御部２５０が取付器具３００に装着され得る。
【００７８】
本発明による脳血液循環の増進を誘導する装置の性能を確認するために、二つの実験を行った。以下では、前記二つの実験およびその結果について説明する。
【００７９】
一番目の実験として、本発明者らは、本発明による脳血液循環の増進を誘導する装置および方法を利用して脳の血管が弛緩して脳血液循環の増進が誘導されることを確認する実験を進めた。実験に使用された動物は、正常マウス（Ｃ５７ＢＬ６  ｍｏｕｓｅ，ａｇｅ＝２０ ｗｅｅｋ，ｎ＝５）であり、使用された光線の波長は、６１０ｎｍであり、光線の強さは、１．４ｍＷ／ｃｍ２であり、光線照射時間は、２０分である。ｉｎ  ｖｉｖｏ動物で光線刺激前後の血管弛緩と血流の変化を確認するために、動物用二光子レーザー走査顕微鏡に実験動物を載置し、首の後ろの天柱穴の位置にある毛を除去したＶＡ（ｖｅｒｔｅｂｒａｌ  ａｒｔｅｒｙ）領域の皮膚上２ヶ所に前記光線照射プローブを付着し、光線刺激を加えた。顕微鏡映像のために、実験動物は、頭蓋骨（ｓｋｕｌｌ）を開いて透明かつ柔軟なＰＤＭＳフィルムで露出した大脳皮質を覆った後、顕微鏡の対物レンズの下側に位置するようにして光線刺激前後の脳血管の映像撮影を進めた。
【００８０】
図８は、本発明による脳血液循環の増進を誘導する装置および方法を利用して動物に適用した光線刺激前後の脳血管の映像撮影の結果グラフの例であり、図８の左側映像は、光線刺激実験前の動物の脳血管の映像であり、右側映像は、光線刺激実験後の動物の脳血管の映像である。
【００８１】
図８に示されたように、光線刺激の後に脳血管が弛緩して脳の血液循環増進が誘導され得ることを確認することができた。
【００８２】
図９は、本発明による脳血液循環の増進を誘導する装置および方法を利用して動物に実験した光線刺激前後の血管直径サイズ別の血管弛緩程度を示すグラフである。すなわち図９は、太さの程度が異なる血管（０〜５ｕｍ、５〜１０ｕｍ、１０〜２０ｕｍ）によって、刺激前後に血管直径サイズを測定したものである。
【００８３】
図９のように、毛細血管（ｃａｐｉｌｌａｒｙ）、前毛細血管動脈（ｐｒｅ−ｃａｐｉｌｌａｒｙ  ａｒｔｅｒｙ）、細動脈（ａｒｔｅｒｉｏｌｅ）などすべてのサイズの血管で均一に有意に脳血管が弛緩することを確認することができた。このような結果から毛細血管が特にさらに多く弛緩することが確認された。
【００８４】
二番目の実験として、本発明者らは、本発明による脳血液循環の増進を誘導する装置および方法を利用して正常ヒト（ｎ＝１０）において脳血管が弛緩して脳血液循環の増進が誘導されることをＳＰＥＣＴ映像を通じて確認する 実験を進行した。
【００８５】
図１０は、本発明による脳血液循環の増進を誘導する装置および方法を利用して正常ヒトにおいて脳血管が弛緩して脳血液循環の増進が誘導される実験プロトコルと、前記実験プロトコルにより実験を行った場合の結果を示す。
【００８６】
本プロトコルによる撮影方法は、それぞれの被験者は、総３回ＳＰＥＣＴ撮影を行った。ただし、ＳＰＥＣＴ撮影のために投与した造影剤がウォッシュアウト（ｗａｓｈ  ｏｕｔ）される時間を考慮して２４時間後に再び撮影した。３回のＳＰＥＣＴ映像は、刺激方法によってＣｏｎｔｒｏｌ、ＣＡ、ＶＡと定義した。ここで、Ｃｏｎｔｒｏｌは、光刺激がない場合であり、ＣＡは、頸動脈（Ｃａｒｏｔｉｄ  Ａｒｔｅｒｙ）刺激がある場合であり、ＶＡは、脊椎動脈（Ｖｅｒｔｅｂｒａｌ  ａｒｔｅｒｙ）刺激がある場合である。
【００８７】
ＳＰＥＣＴ撮影順序は、ＳＰＥＣＴ撮影前に、被験者は、１０分間安静にした。被験者は、テーブルに横になった状態で待機し、光刺激を開始（０ ｍｉｎ）した後、約１５分が経過すると、ＳＰＥＣＴ撮影のためのＨＭＰＡＯ造影剤を投与した。造影剤の投与後、５分が経過する時点でＳＰＥＣＴ映像撮影を始めた。約１５分間２４枚の断層映像を撮影した。
【００８８】
図１０の（ａ）は、同じ被験者で取得したＣＡ刺激映像とＣｏｎｔｒｏｌ映像の差異を計算して３Ｄモデルに表現したＳＰＥＣＴ実験結果である。脳の前頭葉と後頭葉の一部で局所的な血流変化があることが分かった。
【００８９】
図１０の（ｂ）は、ＶＡ刺激映像とＣｏｎｔｒｏｌ映像の差異を３Ｄモデルに表現したＳＰＥＣＴ実験結果であって、脳の全体的な領域で血流変化があることが分かった。
【００９０】
本発明は、脳血液循環と密接に関連がある各種疾患、例えば、血管性痴呆、アルツハイマー疾患、パーキンソン疾患、脳卒中、偏頭痛、うつ病などの疾患を緩和および治療したり、予防、そして記憶力の向上と学習増進をするのに適用され得る。
【００９１】
本発明は、脳血液循環と密接に関連がある各種疾患、例えば、痴呆、パーキンソン疾患、脳卒中、偏頭痛、うつ病などの疾患を緩和および治療したり予防するのに適用され得る。
【００９２】
以上で説明した本発明による脳血液循環の増進を誘導する装置および方法は、上記した実施例に限定されず、以下の請求範囲で請求する技術の要旨を逸脱することなく、当該技術分野における通常の知識を有する者なら誰でも多様に変更して実施できる範囲までその技術的精神がある。
【符号の説明】
【００９３】
１０  ＰＣＢ  
１１  光源
１２  光フィルター
１３  反射体
２０  胴体
２０ａ  両面接着式テープ
２０ｂ  ハイドロゲルパッド
２０ｃ  空気吸着板
２１  光放出口
３０  電線
４０  電源ジャック
６０  喉頭隆起
７０  正中部
７１  頸動脈
７２  脊椎動脈
１００  脳血液循環の増進を誘導する装置
２００  光線照射機
２１０  送受信部
２５０  制御部
２６０  光源駆動部
２７０  光源
２９０  バッテリー
３００  取付器具
４００  ケーブル
５００  光線照射制御装置
５１０  送受信部
５２０  キー入力部
５３０  ディスプレイ部
５５０  演算処理部
５６０  メモリ部
５９０  電源供給装置
【図１】
2020103878.tif 000003
【図２】
2020103878.tif 000004
【図３】
2020103878.tif 000005
【図４】
2020103878.tif 000006
【図５】
2020103878.tif 000007
【図６】
2020103878.tif 000008
【図７】
2020103878.tif 000009
【図８】
2020103878.tif 000010
【図９】
2020103878.tif 000011
【図１０】
2020103878.tif 000012